(57)【要約】【課題】通信品質の高品質化を図りつつ、待機時消費電力の低減を図ったインターホンシステムを提供する。【解決手段】各住戸の住戸用インターホン２は、伝送線Ｌ１を介して制御装置に接続され、伝送線Ｌ１を介して音声データや制御コマンドなどのデータ信号を搬送波デジタル伝送により送受信している。住戸用インターホン２は、伝送線Ｌ１を介して搬送波デジタル伝送によりデータ信号を送受信するデジタル伝送回路１５および音声通話手段を用いた通話処理を行う音声処理回路１１を少なくとも含む内部処理回路と、伝送線Ｌ１を介して起動信号が入力されるのを検出する起動信号検出回路１９と、待機時は内部処理回路の動作モードを通常時よりも消費電力の小さい省電力モードに切り替えるとともに、起動信号検出回路１９が起動信号を検出すると、内部処理回路の動作モードを通常時の動作モードに復帰させる制御回路１０とを備える。【選択図】図１
2010178073.tif 000002
【特許請求の範囲】
【請求項１】
音声通話手段を備えた複数台の通信端末と、通信端末間の通信を制御する制御装置とが、一対の平衡ペア線からなる伝送線を介して接続され、通信端末及び制御装置が搬送波デジタル伝送によりデータ信号を送受信するインターホンシステムにおいて、
各通信端末が、伝送線を介してデータ信号を送受信するデジタル伝送回路、当該デジタル伝送回路を用いて搬送波デジタル伝送により通信を行うデジタル通信回路、および音声通話手段を用いた通話処理を行う音声処理回路を少なくとも含む内部処理回路と、伝送線を介して起動信号が入力されるのを検出する起動信号検出回路と、待機時は前記内部処理回路の動作モードを通常時よりも消費電力の小さい省電力モードに切り替えるとともに、起動信号検出回路が起動信号を検出すると、前記内部処理回路の動作モードを通常時の動作モードに復帰させるモード切替回路とを備えたことを特徴とするインターホンシステム。
【請求項２】
前記起動信号は、前記データ信号を伝送するための搬送波デジタル伝送信号とは異なる信号からなり、前記搬送波デジタル伝送信号に周波数多重化させて伝送されることを特徴とする請求項１記載のインターホンシステム。
【請求項３】
前記起動信号が、各通信端末に個別に割り当てられたアドレス情報を含み、前記モード切替回路は、待機時に起動信号検出回路が検出した起動信号に含まれるアドレス情報が自己のアドレス情報に一致すると、前記内部処理回路の動作モードを通常時の動作モードに復帰させることを特徴とする請求項２記載のインターホンシステム。
【請求項４】
前記起動信号検出回路は、伝送線を介して入力される搬送波デジタル伝送信号の電力を検出する電力検出回路を備え、電力値の検出結果をもとに搬送波デジタル伝送信号の入力を起動信号の入力として検出することを特徴とする請求項１記載のインターホンシステム。
【請求項５】
前記起動信号は、搬送波デジタル伝送信号の先頭部分に付加された、特定の通信端末を示す信号パターンからなり、前記起動信号検出回路は、伝送線を介して入力される搬送波デジタル伝送信号の先頭部分に含まれる信号パターンを検出し、前記モード切替回路は、待機時に起動信号検出回路が検出した信号パターンが自己の信号パターンに一致すると、前記内部処理回路の動作モードを通常時の動作モードに復帰させることを特徴とする請求項１記載のインターホンシステム。
【請求項６】
前記起動信号検出回路は、起動信号の検出動作を行う動作期間と、検出動作を停止する停止期間を交互に繰り返す間欠動作を行い、且つ、前記間欠動作の周期が、前記起動信号の入力期間よりも短い時間に設定されたことを特徴とする請求項１乃至５の何れか１項に記載のインターホンシステム。
【請求項７】
前記起動信号は、搬送波デジタル伝送信号に重畳させた直流の電圧信号からなり、前記起動信号検出回路は、伝送線を介して入力される信号から直流電圧信号を分離する直流分離回路を備え、直流分離回路により分離された直流電圧信号を起動信号として検出することを特徴とする請求項１記載のインターホンシステム。
【請求項８】
各通信端末は、伝送線を介して入力される信号から直流電圧を分離する直流分離回路と、分離された直流電圧を整流して動作電源を得る電源回路とを備えるとともに、前記起動信号検出回路は、直流分離回路により分離された直流電圧の極性反転を検出する極性反転検出回路を備え、直流電圧の極性反転を起動信号の入力として検出することを特徴とする請求項１記載のインターホンシステム。
【請求項９】
各通信端末の起動信号検出回路は、伝送線に重畳された直流電圧又は交流電圧の何れかから動作電源を得ており、前記モード切替回路は、待機時に前記内部処理回路の動作電源を生成する電源回路を停止させるとともに、起動信号検出回路が起動信号を検出すると前記電源回路を起動させることを特徴とする請求項１記載のインターホンシステム。
【発明の詳細な説明】
【技術分野】
【０００１】
本発明は、デジタル通信で音声データなどのデータを伝送するインターホンシステムに関するものである。
【背景技術】
【０００２】
従来、特許文献１に記載されているような集合住宅用のインターホンシステムが提供されている。
【０００３】
特許文献１に記載されたインターホンシステムは、１０／１００ＭｂｐｓのＥｔｈｅｒｎｅｔ（登録商標）を用いたＬＡＮで音声データ、映像データをＩＰプロトコルによってデジタル多重パケット伝送するもので、集合住宅の各住戸に設置された住戸インターホンや、集合住宅の共同玄関に設置されたロビーインターホンや、集合住宅の管理室に設置された管理室用通話端末などの通信端末が伝送線を介して接続されている。
【先行技術文献】
【特許文献】
【０００４】
【特許文献１】特許第３９０００６２号公報
【発明の概要】
【発明が解決しようとする課題】
【０００５】
上記特許文献１に開示されたインターホンシステムのように、デジタル通信で音声データや映像データを伝送するシステムでは、１本の伝送線で、アナログの音声や映像や制御信号を周波数多重伝送するシステムに比べて、映像や音声の高品質化が図られる。一方、このようなインターホンシステムでは、通信信号がいつ来るかは不明なので、各々の通信端末で通信の待ち受けをするために、伝送線に接続された送信アンプおよび受信アンプを備えた伝送回路や、伝送回路を制御して通信を行う通信回路などの、比較的消費電力が大きい回路を常時動作させておく必要があり、各通信端末の待機時消費電力が大きくなってしまうという問題があった。
【０００６】
本発明は上記問題点に鑑みて為されたものであり、その目的とするところは、通信品質の高品質化を図りつつ、待機時消費電力の低減を図ったインターホンシステムを提供することにある。
【課題を解決するための手段】
【０００７】
上記目的を達成するために、請求項１の発明は、音声通話手段を備えた複数台の通信端末と、通信端末間の通信を制御する制御装置とが、一対の平衡ペア線からなる伝送線を介して接続され、通信端末及び制御装置が搬送波デジタル伝送によりデータ信号を送受信するインターホンシステムにおいて、各通信端末が、伝送線を介してデータ信号を送受信するデジタル伝送回路、当該デジタル伝送回路を用いて搬送波デジタル伝送により通信を行うデジタル通信回路、および音声通話手段を用いた通話処理を行う音声処理回路を少なくとも含む内部処理回路と、伝送線を介して起動信号が入力されるのを検出する起動信号検出回路と、待機時は内部処理回路の動作モードを通常時よりも消費電力の小さい省電力モードに切り替えるとともに、起動信号検出回路が起動信号を検出すると、内部処理回路の動作モードを通常時の動作モードに復帰させるモード切替回路とを備えたことを特徴とする。
【０００８】
請求項２の発明は、請求項１の発明において、起動信号は、データ信号を伝送するための搬送波デジタル伝送信号とは異なる信号からなり、搬送波デジタル伝送信号に周波数多重化させて伝送されることを特徴とする。
【０００９】
請求項３の発明は、請求項２の発明において、起動信号が、各通信端末に個別に割り当てられたアドレス情報を含み、モード切替回路は、待機時に起動信号検出回路が検出した起動信号に含まれるアドレス情報が自己のアドレス情報に一致すると、内部処理回路の動作モードを通常時の動作モードに復帰させることを特徴とする。
【００１０】
請求項４の発明は、請求項１の発明において、起動信号検出回路は、伝送線を介して入力される搬送波デジタル伝送信号の電力を検出する電力検出回路を備え、電力値の検出結果をもとに搬送波デジタル伝送信号の入力を起動信号の入力として検出することを特徴とする。
【００１１】
請求項５の発明は、請求項１の発明において、起動信号は、搬送波デジタル伝送信号の先頭部分に付加された、特定の通信端末を示す信号パターンからなり、起動信号検出回路は、伝送線を介して入力される搬送波デジタル伝送信号の先頭部分に含まれる信号パターンを検出し、モード切替回路は、待機時に起動信号検出回路が検出した信号パターンが自己の信号パターンに一致すると、内部処理回路の動作モードを通常時の動作モードに復帰させることを特徴とする。
【００１２】
請求項６の発明は、請求項１乃至５の何れか１つの発明において、起動信号検出回路は、起動信号の検出動作を行う動作期間と、検出動作を停止する停止期間を交互に繰り返す間欠動作を行い、且つ、間欠動作の周期が起動信号の入力期間よりも短い時間に設定されたことを特徴とする。
【００１３】
請求項７の発明は、請求項１の発明において、起動信号は、搬送波デジタル伝送信号に重畳させた直流の電圧信号からなり、起動信号検出回路は、伝送線を介して入力される信号から直流電圧信号を分離する直流分離回路を備え、直流分離回路により分離された直流電圧信号を起動信号として検出することを特徴とする。
【００１４】
請求項８の発明は、請求項１の発明において、各通信端末は、伝送線を介して入力される信号から直流電圧を分離する直流分離回路と、分離された直流電圧を整流して動作電源を得る電源回路とを備えるとともに、起動信号検出回路は、直流分離回路により分離された直流電圧の極性反転を検出する極性反転検出回路を備え、直流電圧の極性反転を起動信号の入力として検出することを特徴とする。
【００１５】
請求項９の発明は、請求項１の発明において、各通信端末の起動信号検出回路は、伝送線に重畳された直流電圧又は交流電圧の何れかから動作電源を得ており、モード切替回路は、待機時に内部処理回路の動作電源を生成する電源回路を停止させるとともに、起動信号検出回路が起動信号を検出すると電源回路を起動させることを特徴とする。
【発明の効果】
【００１６】
請求項１の発明によれば、一対の平衡ペア線を介してデータ信号を搬送波デジタル伝送により送受信しているので、通信品質の高品質化を図ることができ、また待機時にはデジタル伝送回路およびデジタル通信回路を含む内部処理回路を省電力モードで動作させているから、起動信号を搬送波デジタル伝送により送信するシステムのように、比較的消費電力の大きいデジタル伝送回路およびデジタル通信回路を待機時にも動作させておく必要がなく、待機時の消費電力をさらに低減できるという効果がある。
【００１７】
請求項２の発明によれば、起動信号を、データ信号の伝送に用いられる搬送波デジタル伝送信号とは異なる信号とし、搬送波デジタル伝送信号に周波数多重化させて伝送しており、起動信号を搬送波デジタル伝送信号と同時に送信することができるので、搬送波デジタル伝送方式の通信を阻害することがない。また従来のアナログ伝送方式のインターホンでは、例えば１対の伝送線にアナログ音声信号と、アナログ映像信号と、アナログ制御信号とを周波数多重化して伝送しており、省電力モードで動作中の通信端末へ、アナログ制御信号で起動信号を送信することによって、通信端末を起動させることはできるかもしれないが、起動信号以外の呼制御などのアナログ制御信号を送信したい場合は、起動信号をアナログ制御信号で送信する時間帯を避けて送信する必要があり、起動信号以外のアナログ制御信号の通信を阻害する可能性があるのに対して、請求項２の発明によれば、搬送波デジタル伝送方式の通信を阻害することがない。
【００１８】
請求項３の発明によれば、起動信号がアドレス情報を含んでいるので、特定の通信端末のみを起動させることができ、省電力モードで動作中の通信端末が一斉に起動されることがないから、システム全体として待機時消費電力の更なる低減を図ることができる。
【００１９】
請求項４の発明によれば、搬送波デジタル伝送信号そのものを起動信号とし、伝送線を介して搬送波デジタル伝送信号が入力されたことを起動信号の入力として検出し、その検出結果をもとにモード切替回路が内部処理回路の動作モードを省電力モードから通常時の動作モードに切り替えているので、搬送波デジタル伝送信号以外の起動信号を伝送線に送出する場合のように搬送波デジタル伝送信号と起動信号とが相互干渉する虞がなく、搬送波デジタル伝送信号の信頼性を高く保つことができる。
【００２０】
請求項５の発明によれば、搬送波デジタル伝送信号の先頭部分に、特定の通信端末を示す信号パターンを付加することで、特定の通信端末のみを省電力モードから通常の動作モードに復帰させることができるので、省電力モードで動作中の通信端末が一斉に起動されることがなく、システム全体として待機時消費電力の更なる低減を図ることができる。
【００２１】
請求項６の発明によれば、間欠動作を行うことで起動信号検出回路の消費電力を低減して、待機時消費電力の更なる低減を図ることができる。しかも、間欠動作の周期が起動信号の入力期間よりも短い時間に設定されているので、起動信号を検出し損なうことがなく、起動信号を確実に検出することができる。
【００２２】
請求項７の発明によれば、高周波信号である搬送波デジタル伝送信号に対して、起動信号である直流電圧信号を容易に重畳又は分離することができるから、起動信号を重畳させる回路や、起動信号を分離する直流分離回路を安価に実現できる。
【００２３】
請求項８の発明によれば、伝送線に重畳された直流電圧の極性を反転することによって起動信号を送出しているので、伝送線には直流電圧を常時供給することができ、したがって、電源回路が、直流分離回路により分離された直流電圧を整流することで動作電源を得ることができる。また高周波信号である搬送波デジタル伝送信号に対して、起動信号である直流電圧信号を容易に重畳又は分離することができるから、起動信号を重畳させる回路や、起動信号を分離する直流分離回路を安価に実現できる。
【００２４】
請求項９の発明によれば、待機時には内部処理回路の動作電源を生成する電源回路も停止させることができるので、待機時消費電力の更なる低減を図ることができる。
【図面の簡単な説明】
【００２５】
【図１】実施形態１のインターホンシステムに用いる住戸用インターホンのブロック図である。
【図２】同上のインターホンシステムのシステム図である。
【図３】実施形態２のインターホンシステムに用いる住戸用インターホンのブロック図である。
【図４】同上に用いる起動信号の説明図である。
【図５】実施形態３のインターホンシステムに用いる住戸用インターホンのブロック図である。
【図６】実施形態４のインターホンシステムに用いる住戸用インターホンのブロック図である。
【図７】同上に用いる搬送波デジタル伝送信号の説明図である。
【図８】実施形態５のインターホンシステムに用いる住戸用インターホンのブロック図である。
【図９】実施形態６のインターホンシステムに用いる住戸用インターホンのブロック図である。
【図１０】実施形態７のインターホンシステムに用いる住戸用インターホンのブロック図である。
【発明を実施するための形態】
【００２６】
以下に、集合住宅に設置される集合住宅用インターホンシステムに本発明の技術思想を適用した実施形態について、図面に基づいて説明する。
【００２７】
（実施形態１）
本実施形態の集合住宅用インターホンシステムは、図２に示すように集合住宅の各住戸に設置される住戸用インターホン２と、集合住宅の共同玄関（ロビー）に設置されるロビーインターホン３と、集合住宅の管理事務室に設置された管理事務室機４と、各インターホン２，３及び管理事務室機４の間の通信を制御する制御装置１とを備える。住戸用インターホン２、ロビーインターホン３、及び管理事務室機４などの通信端末と、制御装置１とは、一対の平衡ペア線からなる伝送線Ｌ１，Ｌ２，Ｌ３を介して電気的に接続されており、各インターホン２，３、管理事務室機４及び制御装置１は、伝送線Ｌ１，Ｌ２，Ｌ３を介して、映像データ、音声データ、セキュリティ状態の通知などに用いる情報データ、及び通話の開始／切断のための呼制御などの制御コマンドといったデータ信号を、搬送波デジタル伝送により送受信している。したがって、１本の伝送線で、アナログの音声や映像や制御信号を周波数多重伝送するシステムに比べて、映像や音声の高品質化を図ることができる。
【００２８】
図１は住戸用インターホン２の回路構成を示すブロック図であり、住戸用インターホン２は、例えば８ビットのマイクロコンピュータからなる制御回路１０と、マイクロホンＭＣおよびスピーカＳＰを用いて音声の通話処理を行う音声処理回路１１と、映像を表示する映像表示部１２と、映像表示部１２の表示を制御する映像処理回路１３と、ライン結合回路１４を介して伝送線Ｌ１に接続されたデジタル伝送回路１５と、デジタル伝送回路１５を用いて搬送波デジタル伝送により伝送信号を送受信するデジタル通信回路１６と、伝送線Ｌ１を介して入力される起動信号を検出する起動信号検出回路１９とを備えている。尚、ロビーインターホン３及び管理事務室機４も住戸用インターホン２と同様の構成を有しているので、図示及び説明は省略する。
【００２９】
音声処理回路１１は、マイクロホンＭＣで集音した音声をＡ／Ｄ変換した後にＰＣＭなどの所定の符号化方式で符号化した音声データをデジタル通信回路１６に出力するとともに、デジタル通信回路１６から入力される音声データを復号化した後にＤ／Ａ変換したアナログの音声信号でスピーカＳＰを駆動して音声を鳴動させる。
【００３０】
映像処理回路１３は、液晶ディスプレイなどの表示デバイスからなる映像表示部１２を駆動する駆動回路からなり、デジタル通信回路１６から入力される映像データによって映像表示部１２を駆動することで、映像表示部１２に映像（例えばロビーインターホン３のカメラで撮像された動画像など）を表示させる。
【００３１】
デジタル伝送回路１５は、ライン結合回路１４を介して伝送線Ｌ１に接続され、伝送線Ｌ１を介してデータを送受信する送信アンプＡ１及び受信アンプＡ２を備える。送信アンプＡ１には、デジタル通信回路１６の送信処理部１７でデジタル変調された伝送信号が入力され、この伝送信号を増幅し、ライン結合回路１４を介して伝送線Ｌ１に送信する。また受信アンプＡ２には、ライン結合回路１４を介して伝送線Ｌ１から伝送信号が入力され、この伝送信号を増幅した後、デジタル通信回路１６の受信部１８に出力する。
【００３２】
デジタル通信回路１６は、音声処理回路１１から入力される音声データをデジタル変調してデジタル伝送回路１５の送信アンプＡ１に出力するとともに、送信アンプＡ１に送信許可信号を出力して送信を開始させる送信処理部１７と、デジタル伝送回路１５の受信アンプＡ２で受信された伝送信号をデジタル復調し、音声データは音声処理回路１１へ、映像データは映像処理回路１３に出力する受信部１８とを備えている。さらに、デジタル通信回路１６は、送受信のタイミングを制御したり、パケットから必要なデータ部を取り出す通信制御部を備えてもよい。
【００３３】
起動信号検出回路１９は、制御装置１或いは通信開始側の通信端末（他の住戸用インターホン２、ロビーインターホン３、管理事務室機４）から伝送線Ｌ１，Ｌ２，Ｌ３を介して送信される起動信号の入力待ちをしており、起動信号を検出すると、制御回路１０に対して起動信号を出力する。
【００３４】
制御回路１０は、自機の内部処理回路、すなわち音声処理回路１１、映像表示部１２、映像処理回路１３、デジタル伝送回路１５、及びデジタル通信回路１６といった回路の動作モードを、音声通話処理や映像表示処理などを行う通常時の動作モードと、通常時よりも消費電力の小さい省電力モードの２つのモードに切り替える機能を有している。そして、モード切替回路たる制御回路１０は、音声通話や映像表示を行っていない待機時には内部処理回路の動作を省電力モードに切り替えるとともに、待機中に起動信号検出回路１９が起動信号を検出すると、内部処理回路の動作モードを通常時の動作モードに切り替え、内部処理回路の動作を開始させている。
【００３５】
このように、各住戸用インターホン２では、待機時において制御回路１０がデジタル伝送回路１５を含む内部処理回路を省電力モードで動作させている。一方、制御装置１或いは通信開始側の通信端末から待機状態の通信端末に起動信号が送信されると、デジタル伝送回路１５とは別に設けた起動信号検出回路１９が起動信号の入力を検知し、制御回路１０が、入力された検知信号に基づいて、動作モードを通常時のモードに切り替えて、内部処理回路の動作を開始させている。また内部処理回路による内部処理（通話処理など）が終了すると、制御回路１０は、内部処理回路の動作モードを再び省電力モードに切り替えており、待機時消費電力の低減を図っている。ところで、搬送波デジタル伝送で送信された起動信号をデジタル伝送回路１５が受信して他の内部処理回路を起動させる場合は、起動信号の待ち受けのためにデジタル伝送回路１５を常時起動させておく必要があり、その分だけ待機電力が増加するが、本実施形態では、各通信端末が、待機時にデジタル伝送回路１５を含む内部処理回路を省電力モードとして、起動信号検出回路１９により起動信号の待ち受けを行っているので、映像信号や音声信号の高品質化を図りつつ、待機時電力の低減を図ることができる。また本実施形態では、制御装置１或いは通信開始側の通信端末から伝送線Ｌ１に起動信号が出力されると、待機状態の通信端末が一斉に起動されてしまうが、起動してから所定時間が経過するまでの間に、デジタル通信回路１６が自機宛の通信データを受信できなかった場合、制御回路１０は、内部処理回路を再び省電力モードに切り替えており、不要な通信端末が起動したままになるのを防止することができる。
【００３６】
ここで、起動信号検出回路１９が、起動信号の検出動作を行う動作期間と、検出動作を停止する停止期間を交互に繰り返す間欠動作を行い、且つ、間欠動作の周期を起動信号の入力期間よりも短い時間に設定してもよく、間欠動作を行うことで起動信号検出回路１９の消費電力を低減して、待機時消費電力の更なる低減を図ることができる。また間欠動作の周期は、起動信号の入力期間よりも短いので、起動信号を検出し損なうことがなく、起動信号を確実に検出することができる。
【００３７】
（実施形態２）
本発明の実施形態２を図３及び図４に基づいて説明する。本実施形態では、起動信号としてデータ信号を伝送するための搬送波デジタル伝送信号とは異なる信号が用いられ、この起動信号は搬送波デジタル伝送信号に周波数多重化させて伝送されている。図４は伝送信号の使用周波数帯域を説明する図であり、搬送波デジタル伝送信号Ｓ１の使用周波数帯域に比べて低周波側で起動信号Ｓ２を多重化してある。このように本システムでは、搬送波デジタル伝送信号Ｓ１に起動信号Ｓ２を周波数多重化させて伝送しているので、住戸用インターホン２などの通信端末には、伝送線Ｌ１を介して入力される信号から、搬送波デジタル伝送信号の使用周波数帯域に比べて低周波側の信号を分離する低周波信号分離回路２０が設けられ、起動信号検出回路１９では、低周波信号分離回路２０により分離された信号から起動信号の入力を検出している。尚、低周波信号分離回路２０を除いては実施形態１で説明したインターホンシステムと同様であるので、共通する構成要素には同一の符号を付して、その説明は省略する。
【００３８】
ところで、従来のアナログ伝送方式のインターホンでは、例えば１対の伝送線にアナログ音声信号と、アナログ映像信号と、アナログ制御信号とを周波数多重化して伝送しており、省電力モードで動作中の通信端末に対して、アナログ制御信号で起動信号を送信することによって、通信端末を起動させることはできるかもしれないが、起動信号以外の呼制御などのアナログ制御信号を送信したい場合は、起動信号をアナログ制御信号で送信する時間帯を避けて送信する必要があり、起動信号以外のアナログ制御信号の通信を阻害する可能性がある。それに対して本実施形態では、制御装置１や通信開始側の通信端末が、データ信号の伝送に用いられる搬送波デジタル伝送信号に比べて使用周波数帯域が低い起動信号を、搬送波デジタル伝送信号に周波数多重化して伝送線Ｌ１に出力しているので、起動信号を搬送波デジタル伝送信号と同時に伝送でき、搬送波デジタル伝送方式の通信を阻害することがない。
【００３９】
ここで、搬送波デジタル伝送信号に周波数多重化される起動信号に、各インターホン２，３及び管理事務室機４（通信端末）に個別に割り当てられたアドレス情報を付加し、制御回路１０では、待機時に、起動信号検出回路１９が検出した起動信号に含まれるアドレス情報を自己のアドレス情報と比較し、自己のアドレス情報に一致した場合のみ、内部処理回路の動作モードを通常時の動作モードに復帰させるようにしてもよい。この場合、制御装置１や通信開始側の通信端末から所望の通信端末へ起動信号を送信する際に、通信を行いたい通信端末のアドレス情報を起動信号に付加させることで、特定の通信端末のみを起動させることができるから、省電力モードで動作中の通信端末が全て一斉に起動されることはなく、システム全体として待機時消費電力の更なる低減を図ることができる。
【００４０】
なお、起動信号検出回路１９が、起動信号の検出動作を行う動作期間と、検出動作を停止する停止期間を交互に繰り返す間欠動作を行い、且つ、間欠動作の周期を起動信号の入力期間よりも短い時間に設定してもよく、間欠動作を行うことで起動信号検出回路１９の消費電力を低減して、待機時消費電力の更なる低減を図ることができる。また間欠動作の周期は、起動信号の入力期間よりも短いので、起動信号を検出し損なうことがなく、起動信号を確実に検出することができる。
【００４１】
（実施形態３）
本発明の実施形態３を図５に基づいて説明する。本実施形態の住戸用インターホン２は、ライン結合回路１４を介して入力される搬送波デジタル伝送信号の電力を検出する電力検出回路２１を備え、制御回路１０では、電力検出回路２１による電力の検出結果をもとに搬送波デジタル伝送信号の入力を起動信号の入力と判断し、省電力モードで動作中の内部処理回路を起動させるようになっている。尚、起動信号検出回路１９の代わりに電力検出回路２１を備えた点を除いては、実施形態１で説明したインターホンシステムと同様なので、共通する構成要素には同一の符号を付して、その説明は省略する。
【００４２】
このように、本実施形態では伝送線Ｌ１に送出される搬送波デジタル伝送信号そのものを起動信号とし、制御装置１や通信開始側の通信端末から搬送波デジタル伝送信号が伝送線Ｌ１に送出されると、各通信端末では、電力検出回路２１により搬送波デジタル伝送信号の入力を検知し、その検出結果をもとに制御回路１０が内部処理回路の動作モードを省電力モードから通常時の動作モードに切り替えている。したがって、制御装置１や通信開始側の通信端末から、搬送波デジタル伝送信号以外の起動信号を伝送線Ｌ１に送出する場合のように、搬送波デジタル伝送信号と起動信号とが相互干渉する虞がなく、搬送波デジタル伝送信号の信頼性を高く保つことができる。
【００４３】
なお本実施形態では、伝送線Ｌ１に搬送波デジタル伝送信号が出力される度に、待機状態の通信端末が一斉に起動されてしまうが、起動してから所定時間が経過するまでの間に、デジタル通信回路１６が自機宛の通信データを受信できなかった場合、制御回路１０は、内部処理回路を再び省電力モードに切り替えており、不要な通信端末が起動したままになるのを防止することができる。
【００４４】
また電力検出回路２１では、搬送波デジタル伝送信号の検出動作を行う動作期間と、検出動作を停止する停止期間を交互に繰り返す間欠動作を行い、且つ、間欠動作の周期を起動信号である搬送波デジタル伝送信号の入力期間（すなわち搬送波デジタル伝送信号の信号長）よりも短い時間に設定してもよく、間欠動作を行うことで電力検出回路２１の消費電力を低減して、待機時消費電力の更なる低減を図ることができる。また間欠動作の周期は、起動信号の入力期間よりも短いので、起動信号を検出し損なうことがなく、起動信号を確実に検出することができる。
【００４５】
（実施形態４）
本発明の実施形態４を図６及び図７に基づいて説明する。
【００４６】
図７は通信端末および制御装置１の間で送受される搬送波デジタル伝送信号Ｓ１の信号パターンを示し、搬送波デジタル伝送信号Ｓ１の先頭部分に設けられた同期フレームＤ１と、同期フレームＤ１に続いて設けられ、音声データ、映像データ、情報データ、制御コマンドなどを格納したデータフレームＤ２とで構成される。そして、同期フレームＤ１には特定の通信端末を示す信号パターンが付加されており、この信号パターンを起動信号として用いている。
【００４７】
そして、本実施形態の住戸用インターホン２では、ライン結合回路１４を介して入力される搬送波デジタル伝送信号の先頭部分を検出するヘッドパターン検出回路２２が、デジタル伝送回路１５に設けられており、起動信号検出回路としてのヘッドパターン検出回路２２が、搬送波デジタル伝送信号Ｓ１の同期フレームＤ１に含まれる信号パターンを検出すると、制御回路１０が、この信号パターンを自機に割り当てられた信号パターンと比較し、両者が一致すると、内部処理回路の動作モードを省電力モードから通常時の動作モードに復帰させ、内部処理回路の動作を開始させている。尚、起動信号検出回路１９の代わりにヘッドパターン検出回路２２を備えた点を除いては、実施形態１で説明したインターホンシステムと同様なので、共通する構成要素には同一の符号を付して、その説明は省略する。
【００４８】
このように本実施形態では、搬送波デジタル伝送信号の先頭部分に、特定の通信端末を示す信号パターンを付加することで、特定の通信端末のみを省電力モードから通常の動作モードに復帰させることができ、省電力モードで動作中の通信端末が一斉に起動されることがないから、システム全体として待機時消費電力の更なる低減を図ることができる。
【００４９】
なお、ヘッドパターン検出回路２２が、搬送波デジタル伝送信号の先頭部分を検出する動作を行う動作期間と、検出動作を停止する停止期間を交互に繰り返す間欠動作を行い、且つ、間欠動作の周期を起動信号である同期フレームＤ１の入力期間より短い時間に設定してもよく、間欠動作を行うことで電力検出回路２１の消費電力を低減して、待機時消費電力の更なる低減を図ることができる。また間欠動作の周期は、起動信号の入力期間よりも短いので、起動信号を検出し損なうことがなく、起動信号を確実に検出することができる。
【００５０】
（実施形態５）
本発明の実施形態５を図８に基づいて説明する。本実施形態では、起動信号として、搬送波デジタル伝送信号に重畳させた直流の電圧信号を用いており、実施形態１で説明した起動信号検出回路１９の代わりに、伝送線Ｌ１を介して入力される信号から直流電圧信号を分離する直流分離回路２３と、直流分離回路２３により分離された直流電圧信号を起動信号として検出する直流検出回路２４とを備えている。尚、直流分離回路２３及び直流検出回路２４以外の構成は実施形態１と同様なので、共通する構成要素には同一の符号を付して、その説明は省略する。
【００５１】
ここで、制御装置１或いは通信開始側の通信端末（各インターホン２，３及び管理事務室機４）から、搬送波デジタル伝送信号に重畳させた直流電圧信号が伝送線Ｌ１に送出されると、待機中の通信端末では、直流分離回路２３により搬送波デジタル伝送信号と分離された直流電圧信号が直流検出回路２４に出力され、直流検出回路２４では、直流電圧信号の入力を起動信号の入力と判断して、制御回路１０に起動信号を出力する。このとき、制御回路１０は、内部処理回路の動作モードを省電力モードから通常の動作モードに切り換えており、内部処理回路に音声通話処理などの処理を開始させることができる。また内部処理回路による内部処理が終了すると、制御回路１０は、内部処理回路の動作モードを省電力モードに切り替えており、待機時消費電力の低減を図っている。
【００５２】
このように、本実施形態では起動信号として直流電圧信号を用いており、高周波信号である搬送波デジタル伝送信号に対して、起動信号である直流電圧信号を容易に重畳又は分離することができるから、起動信号を重畳させる回路や、起動信号を分離する直流分離回路２３を安価に実現できる。
【００５３】
なお、直流検出回路２４が、検出動作を行う動作期間と検出動作を停止する停止期間を交互に繰り返す間欠動作を行い、且つ、間欠動作の周期を起動信号である直流電圧信号の入力期間より短い時間に設定してもよく、間欠動作を行うことで直流検出回路２４の消費電力を低減して、待機時消費電力の更なる低減を図ることができる。また間欠動作の周期は、起動信号の入力期間よりも短いので、起動信号を検出し損なうことがなく、起動信号を確実に検出することができる。
【００５４】
（実施形態６）
本発明の実施形態６を図９に基づいて説明する。本実施形態では、起動信号として、搬送波デジタル伝送信号に重畳させた直流の電圧信号を用いており、住戸用インターホン２に、伝送線Ｌ１を介して入力される信号から直流電圧信号を分離する直流分離回路２３と、直流分離回路２３により分離された直流電圧信号の極性反転を検出する直流反転検出回路２５と、分離された直流電圧を整流して自機の動作電源を得る電源回路２６とを備えている。尚、起動信号検出回路１９の代わりに直流分離回路２３、直流反転検出回路２５、及び電源回路２６を備えた点を除いては、実施形態１で説明したインターホンシステムと同様なので、共通する構成要素には同一の符号を付して、その説明は省略する。
【００５５】
本システムでは制御装置１から伝送線Ｌ１に直流電圧が常時供給されており、各通信端末では、直流分離回路２３により直流電圧が分離され、電源回路２６が、直流分離回路２３から出力れた直流電圧を整流、平滑して自機の動作電源を得ている。また直流反転検出回路２５が、直流分離回路２３により分離された直流電圧の極性を監視している。なお待機中の通信端末では、制御回路１０により内部処理回路の動作モードが省電力モードに切り替えられている。
【００５６】
ここで、通信端末を起動させるために制御装置１が、伝送線Ｌ１に供給する直流電圧の極性を反転させると、各通信端末では、直流反転検出回路２５が、直流分離回路２３により分離された直流電圧の極性反転を検出し、直流電圧の極性反転を起動信号の入力と判断して、制御回路１０に起動信号を出力する。このとき、制御回路１０は、内部処理回路の動作モードを省電力モードから通常の動作モードに切り換えており、内部処理回路に音声通話処理などの処理を開始させることができる。また内部処理回路による内部処理が終了すると、制御回路１０は、内部処理回路の動作モードを省電力モードに切り替えており、待機時消費電力の低減を図っている。また本実施形態では通信相手以外の通信端末まで起動してしまうが、通信相手以外の通信端末には制御装置１や他の通信端末からの通信信号が送信されないので、起動後一定時間内に自機宛の通信がない場合は制御回路１０が動作モードを省電力モードに切り換えており、待機時の消費電力を低減することができる。
【００５７】
（実施形態７）
本発明の実施形態７を図１０に基づいて説明する。本実施形態では、実施形態１で説明したインターホンシステムにおいて、制御装置１から伝送線Ｌ１，Ｌ２，Ｌ３に各通信端末が備える起動信号検出回路１９の動作電源として直流電圧を供給させており、直流分離回路２３により分離された直流電圧をＤＣ−ＤＣコンバータ２８が所定の電圧値に変換して、起動信号検出回路１９に動作電圧を供給している。また各通信端末は、図１０に示すように例えば商用交流電源ＡＣから動作電源を生成するＡＣ／ＤＣコンバータからなる電源回路２７を備えており、制御回路１０は、待機時に電源回路２７を停止させ、起動信号が入力されると電源回路２７の動作を開始させ、電源回路２７から内部処理回路、すなわち起動信号検出回路１９以外の全ての回路に動作電源を供給させている。尚、電源回路２７以外の構成は実施形態１と同様なので、共通する構成要素には同一の符号を付して、その説明は省略する。
【００５８】
ここで、制御装置１からは伝送線Ｌ１に直流電圧が常時供給されており、各通信端末では、ＤＣ−ＤＣコンバータ２８が、伝送線Ｌ１を介して入力された直流電圧から起動信号検出回路１９の動作電源を生成しているので、待機時に電源回路２７が停止しても、起動信号検出回路１９は起動信号の検出動作を継続して行うことができる。
【００５９】
そして、通信端末を起動させるために制御装置１又は通信開始側の通信端末から伝送線Ｌ１に起動信号が送出されると、各通信端末では、起動信号検出回路１９によって、伝送線Ｌ１を介して入力される検出信号が検出され、制御回路１０が、電源回路２７を起動させて内部処理回路に動作電源を供給させるとともに、内部処理回路の動作モードを省電力モードから通常時の動作モードに切り換えており、内部処理回路に音声通話処理などの処理を開始させることができる。また内部処理回路による内部処理が終了すると、制御回路１０は、内部処理回路の動作モードを省電力モードに切り替えるとともに、電源回路２７の動作を停止させており、内部処理回路に給電する電源回路２７も停止させることで、待機時消費電力の更なる低減を図っている。また本実施形態では通信相手以外の通信端末まで起動してしまうが、通信相手以外の通信端末には制御装置１や他の通信端末からの通信信号が送信されないので、起動後一定時間内にデジタル通信回路１６が自機宛の通信を受信できない場合、制御回路１０が動作モードを省電力モードに切り換えており、不要な通信端末が起動されたままになるのを防止することができる。
【００６０】
尚、本実施形態では各通信端末が備える起動信号検出回路１９の動作電源として制御装置１から伝送線Ｌ１に直流電源を重畳させているが、起動信号検出回路１９の動作電源として交流電圧を重畳させてもよいことは言うまでもない。
【符号の説明】
【００６１】
１  制御装置
２  住戸用インターホン（通信端末）
１０  制御回路（モード切替回路）
１１  音声処理回路（内部処理回路）
１５  デジタル伝送回路（内部処理回路）
１９  起動信号検出回路
Ｌ１  伝送線
ＭＣ  マイクロホン（音声通話手段）
ＳＰ  スピーカ（音声通話手段）
【図１】
2010178073.tif 000003
【図２】
2010178073.tif 000004
【図３】
2010178073.tif 000005
【図４】
2010178073.tif 000006
【図５】
2010178073.tif 000007
【図６】
2010178073.tif 000008
【図７】
2010178073.tif 000009
【図８】
2010178073.tif 000010
【図９】
2010178073.tif 000011
【図１０】
2010178073.tif 000012